(57)【要約】【課題】非常に容易に且つ確実に開放操作が行えると共に、良好な包装状態を維持することが可能であり、しかも簡易な構成からなる包装用袋を提供する。【解決手段】表裏一対のシート体１ａ、１ｂからなり且つ一端縁に開口部２が形成された袋本体１と、前記開口部２を開閉するために前記袋本体１の内面側に設けられるチャック３と、前記チャック３と前記開口部２との間に形成される表裏一対の開口片８を相互に接離可能とすべく前記開口片８のうち何れか一方の内面側に設けられる接着層１０と、前記開口片８のうち何れか一方の端縁に形成される切欠き９とを備えている。【選択図】図２
2016074465.tif 000002
【特許請求の範囲】
【請求項１】
表裏一対のシート体からなり且つ一端縁に開口部が形成された袋本体と、前記開口部を開閉するために前記袋本体の内面側に設けられるチャックと、前記チャックと前記開口部との間に形成される表裏一対の開口片を相互に接離可能とすべく前記開口片のうち何れか一方の内面側に設けられる接着層と、前記開口片のうち何れか一方の端縁に形成される切欠きと、を備えてなることを特徴とする包装用袋。
【請求項２】
前記接着層を介して一対の前記開口片を接着させた際に、前記切欠きと前記チャックとの間に位置する前記開口片の部位には前記接着層が設けられていない請求項１記載の包装用袋。
【請求項３】
前記接着層は、前記開口片の幅方向に所定間隔を有して設けられてなる請求項１又は２記載の包装用袋。
【請求項４】
前記切欠きの側方に位置する前記開口片の端縁に舌片が突出して設けられてなる請求項１〜３の何れか一つに記載の包装用袋。
【請求項５】
前記接着層に離型材が貼着されてなる請求項１〜４の何れか一つに記載の包装用袋。
【発明の詳細な説明】
【技術分野】
【０００１】
本発明は、例えば食料品や部品等の比較的小型の物品を密封状態で包装することのできる包装用袋に関する。
【背景技術】
【０００２】
従来、この種の包装用袋としては、例えば、実開平５−８４６４３号公報記載のものが公知である。すなわち、前記公報記載の包装用袋は、一端縁に袋開口部が形成された合成樹脂フィルムからなる袋本体と、袋本体を密封するために袋開口部の内側面に設けられるチャックとを備えており、チャックと袋開口部間に対向形成される一対の摘み片の高さが若干相違するように構成されている。また、各摘み片の縁部には断面が略円形状のリブが設けられると共に、各リブの両端部は溶着接続されている。
【０００３】
この従来の包装用袋においては、各摘み片を外側から指先で把持しつつ上下にずらすようにして袋開口部を開口し、この状態で各摘み片を左右に拡げてチャックを外すことにより包装用袋が開封される。
【先行技術文献】
【特許文献】
【０００４】
【特許文献１】実開平５−８４６４３号公報
【発明の概要】
【発明が解決しようとする課題】
【０００５】
しかしながら、上記従来の包装用袋における一連の開封操作、すなわち各摘み片を片手の指で把持しつつ上下にずらして袋開口部を開口する操作、及びこの開口状態を維持しつつ各摘み片を左右に拡げてチャックを外すという操作は、非常に厄介で手間を要するものであるために、使用者に多大なる負担をかけるという使用上の問題点があった。
【０００６】
また、チャックを閉鎖する操作は必ずしも容易に行えるものではないために、チャックの閉鎖が不十分となって完全な密封状態を維持できないような場合には、例えば被包装物の品質に支障を与えたり、被包装物が不容易に外部に出てしまったりする等の不都合が生じることになる。
【０００７】
さらに、上記従来のものにおける断面略円形状のリブの形成やリブの両端部を溶着して接続することは製作上極めて煩雑な作業であるために、製作コストが嵩むのは勿論のこと、全体の構成が大変複雑になるという欠点もあった。
【０００８】
それ故に、本発明は、かかる点に鑑みてなされたものであり、その目的とするところは、非常に容易に且つ確実に袋の開封操作が行えると共に、良好な包装状態を維持することが可能であり、しかも簡易な構成からなる包装用袋を提供することにある。
【課題を解決するための手段】
【０００９】
請求項１に記載の包装用袋は、表裏一対のシート体からなり且つ一端縁に開口部が形成された袋本体と、前記開口部を開閉するために前記袋本体の内面側に設けられるチャックと、前記チャックと前記開口部との間に形成される表裏一対の開口片を相互に接離可能とすべく前記開口片のうち何れか一方の内面側に設けられる接着層と、前記開口片のうち何れか一方の端縁に形成される切欠きとを備えてなることを特徴している。
【００１０】
請求項１に記載の包装用袋において、袋本体の開口部を開放する場合には、各開口片を指で夫々把持しつつ開口部を拡げるようにして、接着層により接着された各開口片を離反させると共に、チャックを開放するのであるが、一方の開口片には切欠きが形成されているので、かかる切欠きに相対する他方の開口片の部位を把持することが可能であり、これを把持しつつ例えば外向きに曲げるようにすれば、両開口片が離反するために、一方の開口片を把持し易くなる。このようにして両開口片を把持しつつ拡げることにより、接着層による接着状態及びチャックの閉鎖状態を容易に解除することができる。このようにして開放した開口部から袋本体の内部に被包装物たる物品を収納した状態で、チャックを閉鎖した後、接着層により両開口片を接着すれば、被包装物は包装用袋により密閉状態で包装されることになる。
【００１１】
このように、包装用袋の開口部は接着層とチャックとにより二重に密封されるために、かかる包装用袋は、例えば湿気や酸化等を嫌う物品の包装や、頻繁に開放されることなく収納されるような物品の包装用としては最適なものであるといえる。また、チャックを閉鎖しなくても接着層により両開口片を接着させておけば包装用袋の密閉状態を維持することが可能であるために、チャックの閉鎖不良や不用意なチャックの開放等の事態にも適切に対処できる他、チャックによる閉鎖を省略して、迅速に包装用袋を密封したいような場合にも柔軟に対応することできる。
【００１２】
請求項２に記載の包装用袋は、請求項１に記載の包装用袋において、前記接着層を介して一対の前記開口片を接着させた際に、前記切欠きと前記チャックとの間に位置する前記開口片の部位には前記接着層が設けられていないことを特徴としている。
【００１３】
請求項２に記載の包装用袋においては、切欠きとチャックとの間に位置する開口片の部位には接着層が設けられていないために、接着層の接着による密封機能は損なわれることになるものの、開口部の開放操作がより簡易且つ迅速に行えることになり、例えば包装用袋の開閉操作が比較的頻繁に行われるような使用態様には適切に対応することができる。また、不用意にチャックが開放されるという事態を良好に回避することができる。
【００１４】
請求項３に記載の包装用袋は、請求項１又は２に記載の包装用袋において、前記接着層は、前記開口片の幅方向に所定間隔を有して設けられてなることを特徴としている。
【００１５】
請求項３に記載の包装用袋にあっては、接着層が前記開口片の幅方向に所定間隔を有して設けられているために、開口片の全幅に渡って接着層を設けた場合に比して、開口部を容易に開放することができる。また、この場合も不用意にチャックが開放されるという事態を良好に回避することが可能である。
【００１６】
請求項４に記載の包装用袋は、請求項１〜３の何れか一つに記載の包装用袋において、前記切欠きの側方に位置する前記開口片の端縁に舌片が突出して設けられてなることを特徴としている。
【００１７】
請求項４に記載の包装用袋においては、一方の開口片に設けられた舌片と、切欠きに相対する他方の開口片の部位とを把持しつつ拡げることにより、接着層による接着状態及びチャックの閉鎖状態を解除することができて、袋本体の開口部が開放される。この場合は、舌片を介して一方の開口片が把持されることになるが、舌片は極めて容易に把持することができるために、一連の開封操作の便に大いに供し得ることになる。
【００１８】
請求項５に記載の包装用袋は、請求項１〜４の何れか一つに記載の包装用袋において、前記接着層に離型材が貼着されてなることを特徴としている。
【００１９】
請求項５に記載の包装用袋においては、離型材を接着層から剥離し、この接着層を介して両開口片を接着すれば、袋本体の開口部が閉鎖される。離型材により接着層が適切に保護されるために、使用開始迄の粘着性が良好に維持されることになる。
【００２０】
また、各請求項に記載された包装用袋は、何れも全体の構成が非常に簡易であるために、その製作も容易に且つ安価に行えるという実用的な利点もある。
【発明の効果】
【００２１】
本発明によれば、非常に容易に且つ確実に袋の開封操作が行えると共に、良好な包装状態を維持することが可能であり、しかも簡易な構成からなる包装用袋を得ることができる。
【図面の簡単な説明】
【００２２】
【図１】本発明に係る一実施形態を示す包装用袋の正面図である。
【図２】図１のＡ―Ａ線断面図である。
【図３】被包装物を包装した状態にある包装用袋を示す要部断面図である。
【図４】他の実施形態に係る包装用袋を示す正面図である。
【図５】他の実施形態に係る包装用袋を示す正面図である。
【発明を実施するための形態】
【００２３】
以下、本発明に係る包装用袋の一実施形態について、図面に従って説明する。図１は本実施形態に係る包装用袋の正面図で、図２は図１のＡ―Ａ線断面図で、図３は被包装物を包装した状態にある包装用袋の断面図で、図４及び図５は他の実施形態に係る包装用袋の正面図を示している。
【００２４】
図１に示すように、正面略矩形状に形成された袋本体１は表裏一対のシート体１ａ、１ｂから構成されており、例えばポリエチレンやポリプロピレン等の合成樹脂フィルムからなっている。袋本体１は透明であり、その表裏両面には必要に応じて印刷が施される。なお、透明性及び印刷効果等の優位性を考慮した場合、袋本体１の素材としては前記ポリプロピレンが最適である。
【００２５】
袋本体１の一端縁には、図２に示すように開口部２が形成されている。袋本体１の内面側には、その開口部２を開閉するためのチャック３が全幅に渡って設けられている。このチャック３は、同図に示すように凹状部４を有する雌部材５と、凹状部４に凹凸嵌合可能な凸状部６を有する雌部材７とから構成されており、これらの各部材５、７は袋本体１の各シート体１ａ、１ｂの内面側に夫々熱溶着して固着されている。
【００２６】
袋本体１は、図２に示すように開口部２とチャック３との間に形成される表裏一対の開口片８ａ、８ｂを備えている。一方の開口片８ａの略中央部には正面逆三角形状の切欠き９が形成されている。なお、切欠き９は他方の開口片８ｂにも設けることが可能であるが、この場合、他方の開口片８ｂに設ける切欠き９は一方の開口片８ａに設けた切欠き９とは幅方向に位置ずれさせて設けられることになる。また、切欠き９の具体的な形状は三角形状に限定されるものではなく、例えば矩形状、半円形状や半楕円形状等であっても構わない。この点は、後述する舌片１２の形状についても同様である。
【００２７】
チャック３と切欠き９との間に位置する他方の開口片８ｂの内側面の部位には、図１及び図２に示すように無色透明の接着剤が帯状に塗布された接着層１０が全幅に渡って設けられている。かかる接着層１０の接着強度等は、例えば被包装物の種類や包装用袋の使用目的等に応じて適宜変更が可能である。本実施形態における接着層１０は、接着後に剥離可能であり、且つ剥離後においても粘着性を有する接着剤を使用しており、再度接着可能に構成されている。接着層１０には、これを覆うようにして紙製の離型材１１が貼着されている。一方の開口片８ａの切欠き９の側方に位置する端縁には、舌片１２が突出して設けられている。
【００２８】
本実施形態に係る包装用袋は以上のような構成からなり、例えば食料品や部品等の比較的小型の物品を被包装物として包装するのに使用される。先ず、被包装物を包装する場合について説明する。図２に示すように、包装用袋のチャック３が閉鎖状態にある場合には、両開口片８ａ、８ｂを指で把持しつつ開口部２を拡げるようにして、チャック３の雌部材５の凹状部４と雄部材７の凸状部６との嵌合状態を解除する。この場合において、一方の開口片８ａには切欠き９が形成されているので、かかる切欠き９に相対する他方の開口片８ｂを把持することが可能であり、これを把持しつつ例えば外向きに少し曲げることにより、開口片８ｂと一方の開口片８ａとが離反するために、この開口片８ａを把持し易くなる。この状態で両開口片８ａ、８ｂを把持しつつ拡げることにより、チャック３を容易に開放することができる。なお、上記したように両開口片８ａ、８ｂを離反させるには、一方の開口片８ａに設けた舌片１２を把持して行うことも可能である。この場合は、舌片１２を介して一方の開口片８ａが把持されることになるが、舌片１２は極めて容易に把持することができるために、一連のチャック３の開放操作がより一層簡易に行えることになる。
【００２９】
そして、この状態で図３に示すように、袋本体１の開口部２から被包装物Ｂを内部に収納し、シート体１ａ、１ｂを介して外側からチャック３を押圧し、雌部材５及び雄部材７を嵌合させて閉鎖する。その後、離型材１１を接着層１０から剥離して、これを一方の開口片８ａの内面に貼着すれば、被包装物Ｂを包装することができる。
【００３０】
このように、本実施形態に係る包装用袋は、チャック３及び接着層１０で開口部２を二重に閉鎖する機能を備えているために、例えば湿気や酸化等を嫌うような物品の包装や、頻繁に開放されることなく比較的長期間に渡って収納されるような物品の包装には最適である。
【００３１】
次に、包装された被包装物Ｂを包装用袋から取出す場合について説明するが、この場合も上述した包装用袋の開封操作と同様にして行うことができる。すなわち、一方の開口片８ａの切欠き９に対向する他方の開口片８ｂと一方の開口片８ａとを把持しつつ、両開口片８ａ、８ｂを離反させるようにして開口部２を拡げていくことにより、接着層１０と一方の開口片８ａとの接着状態を解除すると共に、チャック３の閉鎖状態を解除する。この場合、上述したように他方の開口片８ｂの舌片１２を利用することも勿論可能である。この状態で被包装物Ｂを包装用袋の開口部２から取出すことができる。
【００３２】
例えば、一部の被包装物Ｂを外部に取出した後に再度包装用袋を密封する場合は、チャック３を閉鎖した後に、接着層１０と一方の開口片８ａとを再接着させる。この場合において、例えばチャック３の一部に閉鎖不良が生じていたとしても、接着層１０の接着による包装用袋の密封状態が良好に維持されることなる。また、このように接着層１０の接着のみによって袋本体１の密封性が維持できるために、チャック３による閉鎖を省略して、迅速に包装用袋を密封したいような場合にも柔軟に対処すること可能である。
【００３３】
（他の実施形態）
上記実施形態における接着層１０は開口片８ｂの全幅に渡って設けられているが、必ずしもこのように構成する必要はなく、次のように構成することも可能である。本実施形態の主要部は上記実施形態と共通するために、共通部分は同様の符号を付すこととして、その具体的な説明は省略する。図４に示す包装用袋は、接着層１０を一方の開口片８ａに接着させた際に、切欠き９とチャック３との間に位置する他方の開口片８ｂの部位には接着層１０を設けないように構成されている。また、必要に応じて本実施形態のように、接着層１０は幅方向に所定間隔を有して設けられることになる。
【００３４】
これによると、切欠き９とチャック３との間に位置する開口片８ｂの部位には接着層１０が設けられていないために、接着層１０の接着による密封機能は損なわれることになるものの、開口部２の開放操作がより簡易且つ迅速に行えることになり、例えば包装用袋の開閉操作が比較的頻繁に行われるような使用態様には適切に対応することができる。また、不用意にチャック３が開放されるという事態を良好に回避することが可能である。
【００３５】
図５に示す他の実施形態は、接着層１０が所定間隔を有して全幅に渡って設けられている。この場合にも、開閉操作の容易性及び迅速性を十分に確保することができると共に、不用意にチャック３が開放されるという事態を良好に回避することができる。
【００３６】
以上、説明したように上記各実施形態に係る包装用袋は極めて簡易な構成からなるために、その製作も容易に且つ安価に行えるという実用的な利点を有している。
【００３７】
なお、上記実施形態においては、一方の開口片８ａに舌片１２を設けるように構成したが、これは必要に応じて設ければよいものであり、省略しても構わない。
【００３８】
また、切欠き９は他方の開口片８ｂに設けてもよい他、接着層１０は一方の開口片８ａに設けることも可能である。
【００３９】
その他、袋本体１の形状やチャック３の具体的な構成等も本発明が意図する範囲内において任意に設計変更自在である。
【符号の説明】
【００４０】
１                  袋本体
１ａ、１ｂ          シート体
２                  開口部
３                  チャック
８（８ａ、８ｂ）    開口片
９                  切欠き
１０                  接着層
１１                  離型材
１                  舌片
【図１】
2016074465.tif 000003
【図２】
2016074465.tif 000004
【図３】
2016074465.tif 000005
【図４】
2016074465.tif 000006
【図５】
2016074465.tif 000007